(57)【特許請求の範囲】
【請求項１】
ふた21、貯蔵器20内の廃物を収容するためのライナー23、該ふた21に配置され、該ライナー23の内部に連通する廃物導入口24、及び該ふた21に配置され、吸引源への連結のための排出口25を備える密封された貯蔵器20;及び廃物処理物質を貯蔵し且つ該廃物処理物質を該ライナー23内に分配するためのリザーバからなる、廃物発生源からの廃物を処理するための装置であって、
該リザーバは、該装置を使用しているときには、該貯蔵器20に取りつけられず、該ライナー23内で廃物を処理することが望まれるときに、容器１の細長い分配用ノズル８によって該貯蔵器20に取りつけられ、廃物導入口24と連結され、該ライナー23内に廃物処理物質を分配することができる容器１からなり、該容器１は、該リザーバが該貯蔵器20に取りつけられていないときには、片方の部位で、該容器１のノズル８に冠着し、該ノズル８に耐流体密封を形成し、該リザーバが該貯蔵器20に取りつけられるときには、該ノズル８から取りはずされ、他方の部位で、排出口25を密封するために適用される取外し可能なキャップ11をさらに含むことを特徴とする装置。
【請求項２】
取外し可能なキャップ11がタグ12によって容器１に結びつけられる請求項１記載の装置。
【請求項３】
ノズル８が廃物導入口24と共に耐流体密封を形成するために適用される請求項１又は２記載の装置。
【請求項４】
ノズル８が廃物導入口24の開口端に挿入可能である請求項３記載の装置。
【請求項５】
廃物導入口24の管状壁部がノズル８と該ノズル８をとり囲むスリーブ９との間の環状空間10内で摩擦嵌着を形成する請求項４記載の装置。
【請求項６】
ノズル８の自由端が該ノズル８の縦軸に対して鋭角を規定する請求項１〜５のいずれか１項記載の装置。
【請求項７】
ライナー23が可撓性ライナーである請求項１〜６のいずれか１項記載の装置。
【請求項８】
容器１は、リザーバが貯蔵器20に取りつけられていないときには、片方の部位で、該容器１のノズル８に冠着し、該ノズル８に耐流体密封を形成し、該リザーバが該貯蔵器20に取りつけられるときには、該ノズル８から取りはずされ、他方の部位で、ふた21に配置される排出口25に連結される排出管27を密栓するために適用される、取外し可能なキャップ11を含む請求項１記載の装置。
【発明の詳細な説明】
技術分野
硬い容器又は可撓性ライナーを患者の身体に接続され且つ該容器又はライナーを吸引源に接続させる吸引排液装置が病院で広く使用されている。これらの装置は手術した患者及びその他の患者の体液の形態の廃物（waste）を完全なふた又はカバーを備える容器又は可撓性ライナーに集める。この吸引器で吸引される廃物にはしばしば強い感染性のものがあり、そしてその流出によって又は吸引排液装置の故障によって人体が該廃物に晒されることがしばしば起こる。
技術の背景
ヨーロッパ特許出願第0391219号及び0390095号明細書は廃物処理物質を感染性廃物が含有される密封室内に分配させることによって作業者が該感染性廃物に晒されることを少なくする吸引排液制御装置を記載する。密封室は可撓性ライナーがそこまで密封され且つそこから吊るされるカバーを含む。廃物処理物質を貯蔵するために自由に移動し得る貯蔵器が室の内部に備えられ、該貯蔵器は該貯蔵器を開口するために可撓性ライナーを操作することによって開口される。
ヨーロッパ特許出願第0390094号明細書は、通常密封貯蔵器がその中に廃物処理物質を、貯蔵器が閉じられている間貯蔵するために室のカバーの裏側に備えられている装置を記載する。外部から操作される作動装置が、可撓性ライナーをもつ密封室内に廃物処理物質を分配するために貯蔵器を開口するためにカバーに備えられる。
本出願人のヨーロッパ特許第0394687号明細書は、廃物を処理するための吸収剤及び／又は殺菌剤をもち、及び／又は廃物の漏れの可能性を最小にするためのに接合部及び／又はバルブを配置する吸引廃液装置を記載する。また、移送装置が単一装置内で多段容器の使用を容易にするために備えられる。
米国特許第5,156,823号明細書は、体液及び体液溶液を貯蔵するための廃物容器、該体液及び体液溶液を吸引するための該廃物容器の上部にある吸引口、該廃物容器の上部にある排出口、該廃物容器の内側上部にある化学薬剤保持装置、及び廃物容器中の該体液及び体液溶液を凝固するための凝固剤を含む化学薬剤からなる廃物体液処理用装置を記載する。
従来技術では、ゲル化剤を含む容器が廃液吸収装置に不変的に取り付けられ、該装置は該容器の自由な使用に制限を加えている。その上に、このゲル化剤が導入口を介して吸引排液装置に導入される装置は、米国特許第5,156,823号明細書に添付された図１に記載された装置の場合の如く、通常粉末状又は顆粒状のゲル化剤を比較的狭い入口を介して通過させるために困難な問題に直面している。ゲル化剤の粒子は導入口部分の内壁上に通常存在する湿気と接触したときに膨張する傾向があるので、この特許の場合には特に困難な問題がある。すなわち、膨張した粒子によってこの導入口が塞がれ、残りのゲル化剤の導入が妨げられ又は制限されることである。
本発明の目的
本発明の目的は単純且つ安全な吸引排液感染制御装置を提供することである。
本発明のさらなる目的は、通常は該装置と別個の容器中に含有されるが、ゲル化剤、吸引剤及び／又は殺菌剤が装置中に導入されることが望まれる時に、該装置に自由に取り付けられる、ゲル化剤、吸収剤及び／又は殺菌剤を組み入れる吸引排液感染制御装置提供することである。
本発明のさらなる目的は前記した従来技術の装置に付随する固有の問題を解決するものである。
本発明の要約
本発明は吸引排液感染制御装置の改良されたゲル化処理装置に関するものである。
より具体的には、本発明はゲル化剤、又は吸収剤、及び／又は殺菌剤（以下、廃物処理物質とする）を使い捨ての硬い容器又は可撓性ライナー内に放出又は分配する吸引排液感染制御装置に関するものである。この廃物処理物質は、該廃物処理物質を該硬い容器又は可撓性ライナー内に分配するために、該容器又は可撓性ライナーのふたの導入口にぴったりはめ込まれるノズルをもつ密封容器内に配置される。
一つの態様によれば、本発明は、ふた、廃物を収容するために貯蔵器内に室を画定する可撓性ライナー、該室の内部に連通する該ふたにある廃物導入口、及び吸引源に連結するために該ふたにある排出口をもつ密封された貯蔵器；及び廃物処理物質を貯蔵し且つ該廃物処理物質を該室の中に分配するためのリザーバからなり、該リザーバは、装置が使用されているときには、該貯蔵器に取りつけられず、該廃物を室内で処理することが望まれるときには、廃物処理物質を該室内に分配するために廃物導入口と連結する容器上の細長い分配用ノズルによって該貯蔵器に自由に接続可能な容器からなることを特徴とする発生源から廃物を排出するための装置を提供する。
容器は、該リザーバが貯蔵器に取りつけられていないときには、片方の部位で、容器のノズルに冠着し、ノズルに耐流体密封を形成し、リザーバが貯蔵器に取りつけられるときには、ノズル８から取りはずされ、他方の部位で、排出口25を密封するために適用される取外し可能なキャップ11を備える。
他の態様によれば、本発明は吸引装置と共に使用する容器を提供する。該容器は、廃物処理物質を保持する密封室、及び該容器から廃物導入口へ廃物処理物質を分配するために、流体貯蔵器の廃物導入口と耐流体密封を形成するために適合される分配ノズルを備える該室からの排出口を包含する。該容器上の分配のズルは廃物導入口と耐流体密封を形成し、該廃物処理物質が該室に分配され得る乾燥通路を提供する。
従って、本発明は密封貯蔵器、及び該貯蔵器内で廃物流体が処理されているときには、単一の密封装置として配置される廃物処理物質用容器からなる密封装置を提供する。各吸引排液貯蔵器は単独で又は一つ以上の追加の貯蔵器を一組として使用できる。
本発明の吸引排液感染制御装置は、キャップからこぼれたり、部分的にあふれる廃物容器内容物、事故によるキャップの脱離及びライナーの破損によって引き起こされる感染及び漏れの危険性を減少させることによって病院従業員が感染性廃物に晒される危険を著しく少なくする。
本発明の吸引排液感染制御装置は廃物を固体又は半固体状態に転換させることにより、及び／又は集められた廃物を室温でほとんどのタイプの細菌及びウイルスを殺すことができる有効な殺菌剤にさらすことにより潜在する感染性吸引廃物の安全な処理を促進する。殺菌剤はHIV、Ｂ型肝炎、単純ヘルペス、ポリオ、アデノウイルスＢ及び他の多くの潜在的感染性物質に対して有効であり、従って、患者間の交雑汚染の可能性を減少させ、そしてヘルスケアワーカーに対するこれらの危険性を最小にする。
本発明の他の利益及び特徴は下記の記載、添付図面及び請求の範囲の記載から明らかになる。
【図面の簡単な説明】
図１は本発明の一つの態様による廃物処理物質を含有するための容器の正面図である。
図２は図１の容器の垂直断面図である。
図３は閉じた状態の図１の容器の垂直断面図である。
図４は廃物貯蔵器にまさに接続される状態の図１の容器を示す本発明の一つの態様の正面図である。
図５は廃物貯蔵器に接続した状態の図１の容器を示す正面図である。
図６は図５の詳細を示す垂直断面である。
好ましい態様の詳細な説明
本発明は種々の型の態様が可能であるけれども、本願明細書が本発明の例示として考慮している一つの好ましい態様を図に示し且つ以下に説明する。しかし、ここで説明されている特定の態様に本発明を限定するものではない。
図について述べれば、図１は本発明の装置で使用する廃物処理物質を含む容器１の正面図である。好ましくは、容器１はプラスチック物質から成形される。
容器１は廃物処理物質を含む閉じた室２からなる。容器１はスナップ方式の栓３をもつ。図２でさらに明確に示されている如く、栓３は閉じた室２の開口を画定する環状の周縁端部５にはまり且つ適合する下向に開口する環状のくぼみ４をもつ。周縁端部５は栓３の補足的くぼみ７とかみ合うリベート６で形成されている。栓３が容器１の周縁端部５上にはめられるとき、リベート６がくぼみ７にはまり栓３を容器１に固定するように、物質の弾力はリベート６が周縁端部５の上に乗り上げることを可能にする。
栓３は室２の内部と連通する分配ノズル８でできている。該ノズル８の下部は、ノズル８とスリーブ９との間の環状空間10を画定する環状スリーブ９によってとりまかれる。ノズル８の自由外側端は直角ではなく、鋭い角度、好ましくは45〜50゜の間でカットされる。
容器１は該容器を閉じるためにキャップ11を備える。該キャップ11はタグ12によって容器１に取り付けられている。図３にさらに明確に示されている如く、キャップ11は中空であり、且つノズル８の自由外側端上に取り付けられる。キャップ11の環状端部13はノズル８とスリーブ９との間の環状空間10中に取り付けられるように適合される。キャップ11の内壁は、該キャップ11とノズル８との間の摩擦嵌め合いを規定する環状リブ16を備える。キャップ上の環状カラー14はスリーブ９の頂端部15に接触する。フラスコ状円錐形である不可欠なプラグ17はキャップ11の内部に軸方向に配置され、キャップ11がノズル８の自由外側端上に置かれるとき、図３に示されている如く、ノズルの内側にぴったりと嵌め合うように適合される。この方法で、極め確実な且つ耐流体密封がキャップ11とノズル８との間に得られる。
本発明の完全な吸引排液容器感染制御装置の一つの態様が図４〜６で説明される。
上記の容器１に加えて、この装置は比較的固いプラスチック物質から作られる円筒形の貯蔵器20を含む。貯蔵器20は頂部で開き且つ底部で閉じられている。貯蔵器20は繰り返し使用できるように廃物とは接触されない。それが汚染されることはあり得ないけれども、約121℃で加圧滅菌、又は化学滅菌され得る。貯蔵器20は金属クレードル（図示ぜず）上に取り付けられる。種々の高さのクレードルが使用でき、そして複数の貯蔵器20を供給できる。
貯蔵器20は、該貯蔵器の上部開口端と耐流体契合のために従属フランジ22をもつ貯蔵器のふた21を含む単一構造を保持するのに適している。可撓性ライナー23は、例えばRF溶接又は他の確実な方法で、完全な耐流体密封方法でふた21の裏面に溶着される。好ましくは、該ライナーは強い可塑性の単一容器である。該ライナーは弱い部分をなくすために塩化ポリビニルのようなプラスチック物質から吹き込み成形される。
ふた21は、ライナー23の内部に開口する、導入口24及び排出口25をふくむ。導入口24はふた21の外側に上方向に伸びる管状部及びふた21の裏側の下方向に伸びる管状部から構成される。導入口24の上端部は導入管又はライン（図示せず）に連結するように改造され、そして流体が排出されるべき発生源に接続される。例えば、カテテールによって患者に接続され得る。
導入口24の他端はふた21の真下に垂れ下がり、そしてライナー23の内部と連通する。図には示されていないけれども、バルブが導入口24の垂れ下がる内部に連続して備えられ得る。該バルブは密封ライナー23の内部に、排出される発生源からの廃物の一方向の流れを可能にする。適当なバルブはヨーロッパ特許出願03390094、0394687及び0390095号明細書に記載されている。これらの特許出願の記載内容を参考として本願明細書にくみいれる。他の適当なバルブは米国特許第3822720及び3901272号明細書に記載されている。これらの特許の記載内容を参考として本願明細書にくみいれる。
排出口25は、排出管27にひじ継ぎ手26によって連結される、ふた21の外面上にある直立する管状部を備える。排出管27は、導入口24を介してライナー23の中へ廃物を吸引する負の圧力源又は真空源（図示せず）にライナー23の内部を関連させる。
排出口25はライナー23の内部にふた21の真下に垂れ下がる管状部をもつ。排出口のこの管状部は、排出管27へ廃物流体があふれ出ることを防止するバルブ28を含む。該バルブ28はライナー23が充満しているとき排出管を介して廃物物質の流れを防止する、流体の高さによって上昇して排出口25を塞ぎ且つ真空を遮断するハウジング内のフロートからなる、自動バルブであることができる。別法として、該バルブ28は、ポリマー又は他の適当な物質から作られる膨張可能な水分感受性ビーズを含有するポリエチレン発泡体を含有するハウジングからなる非自動バルブであることができる。該ビーズは流体と接触して直ちに膨張して排出口25を封鎖する。これらはまたエーロゾル発生菌及びビールスによって汚染から吸引装置を防止する高性能のエーロゾルフィルターを提供する。適当な非自動バルブは、例えば、公開されたPCT出願WO87/00439公報に開示されている。
本発明の装置の操作を図４〜６について記載する。体液のような廃物物質の吸引の完了と同時に又はライナー23が流体でほとんど満たされるとき、導入管を患者又は他の廃物源から切り離し、そして真空源を切り離す。好ましくは、導入管を適当な殺菌剤で洗い流し、洗い流された物質をライナー23に集める。次いで、導入管を導入口24から切り離す。
キャップ11を容器１のノズル８から取り除く。図４に示す如く、ノズル８の自由端を導入口24の開口端の中に挿入し、廃物処理物質を容器１からライナー23へ分配する。該廃物処理物質は数分内で作用し、廃物流体をライナー23内でゲル化又は固体化する。ノズル８が導入口24に完全に挿入されるとき、容器１の位置は図５に図解され、そして図６にさらに詳しく示されている。図６に示される如く、ノズル８は導入口24の管状部内にぴったりはめ込まれる。容器１のスリーブ９は、導入口24の管状頂部がノズル８とスリーブ９との間の空間10の中で摩擦嵌着するように、導入口24の外壁と適合する。この方法で極めて確実な耐液体密封が容器１と貯蔵器20との間に得られる。
ノズル８の設備及び構造は、通常顆粒型である廃物処理物質が比較的狭い導入口24を通って自由に流れることを確実にするために重要である。さらに、導入口24の内壁は通常湿っており、従って廃物処理物質がゲル化剤である場合、導入口の内壁上の水分と接すや否やゲル状粒子は膨張して導入口を塞ぐであろう。ノズル８は該ゲル状粒子が導入口24の内壁と接触することを避けることを助ける。ノズル８の自由端の角度をもった構造が重要である。もしノズル端が直角であつたならば、該ノズル端は、該ゲル状粒子が導入口24に置き込まれるとき、該導入口の内壁から水分を集め易い。しかし、これは水分の集積を避け又は最小にする角度をもった構造によって避けられ、そしてもしわずかな水分が集められるとしても、この水分はノズル８の頂部に集められる。
ノズル８は、顆粒又は粒状廃物処理物質の流れを最適に近い速度に制御し、均等且つ一貫性のある廃物流体のゲル化をできるだけ速やかに提供する比較的小さな内径をもつ。
図５に示されている如く、排出管27は該管の末端上に配置される接合体29を切り離すことによって真空源から切り離される。
図５及び６に示されている如く、その外壁が円筒形であるキャップ11は次いで接合体29の補捉部内に適合される。キャップ11は接合体29内で完全な摩擦適合を形成し、耐流体封鎖を提供する。この方法で、装置は完全に密封且つ封鎖され、汚染物質の出口をふさぐ。この密封装置は標準的処理ボックス又は他の大量の処理容器の完全な構成部分として配置できる。
本発明で使用される廃物処理物質は、アクリル酸ナトリウム共重合体のような水の存在下で膨張して吸収性ゲルを形成するゲル化剤を含む。それは100ミクロン〜500ミクロンの粒子サイズ及び20℃で0.06〜0.70gm/cm3の密度をもつ粉末の型のものでよい。他の適当な吸収剤は、セルロース繊維、架橋ポリマーの塩、珪藻土、乾燥粘土、膨張シリケート粒子、グラウンドコーンカブ、真珠岩、シリカゲル、寸断されたポリプロピレンミクロファイバー、ナトリウム／カルシウムボロシリケートグラス、デンプングラフト化ポリアクリル酸ナトリウム、加熱網状ポリエーテルポリウレタン、及びバーミキュライトをふくむ。
廃物処理物質は殺菌剤を含むことができる。適当な殺菌剤は次亜塩素酸カルシウム、含塩素のターソジウムホスフェート、Ｎ−クロロスクシンイミド、1,3−ジクロロ−5,5−ジメチルヒダントイン、カルシウムジクロロ−ｓ−トリアジントロン、ナトリウムｂンゼンスルホンクロラミド、次亜塩素酸ナトリウム、ナトリウムｐ−トルエンスルホンクロラミド、ナトリウムジクロロイソシアヌレート・ジハイドレート、ナトリウムジクロロ−ｓ−トリアジントリオン、ｐ−スルホンジクロラミド安息香酸、ｐ−トルエンスルホンジクロラミド、トリクロロ−イソシアヌール酸、トリクロロメラミン、アルコール、ホルムアルデヒド、グルタルアルデヒド、過酸化水素、ヨー素、第四級アンモニウム化合物、パラ酢酸、パラホルムアルデヒド、及びフェノールを包含する。好ましい、殺菌剤は1,3−ジクロロ−5,5−ジメチルヒダントイン、カリウムジクロロ−ｓ−トリアジントリオン、Ｎ−クロロサクシンイミド、及びナトリウムジクロロイソシアヌレートジハイドレート、を包含する。
本明細書で説明されている態様は可撓性ライナーをもつ吸引排液感染制御装置に関するものであるが、本発明はライナーなしに使用される硬い容器にも等しく適用できる。従ってここで使用されている如く、用語「貯蔵器（receptacle）］は、使い捨て可能な硬い容器及び使い捨て可能な可撓性ライナーを備える吸収容器を包含することを意図する。
【図１】
0003549887.tif 000002
【図２】
0003549887.tif 000003
【図３】
0003549887.tif 000004
【図４】
0003549887.tif 000005
【図５】
0003549887.tif 000006
【図６】
0003549887.tif 000007